(57)【要約】【課題】  周辺環境が変化した場合でも、位置情報よりその環境に最適な通信モードに自動的に切り替えることができる無線通信端末装置を提供する。【解決手段】  無線通信端末１００は、自端末の現在位置を示す位置識別子を、位置検出手段１０１により取得する。無線通信端末１００は、この位置識別子に基づいて位置属性データベースをアクセスし、動作モードの特性を示す位置属性を取得する。モード解析手段１０５では、この位置属性に基づいてモード属性データベース１０４をアクセスし、無線通信端末１００のモード属性を取得する。モード切替手段１０６では、このモード属性に応じた制御を行い、無線通信端末１００の現在位置に適した動作モードへと変更する。【選択図】  図１
2006333303.tif 000002
【特許請求の範囲】
【請求項１】
無線通信端末が利用される位置を、位置ごとの特徴を示す位置属性と呼ぶ識別子に対応付けることが可能な位置属性解析手段と、
位置属性ごとに適した無線通信端末の動作モードを対応付けることが可能なモード解析手段と、
モード解析手段により得られた前記対応付け情報に従って、無線通信端末の動作モードを切り替えるモード切替手段と、
を具備することを特徴とする無線通信端末装置。
【請求項２】
請求項１記載の無線通信端末装置において、
無線通信端末の現在位置を取得することができる位置検出手段を更に具備することを特徴とする無線通信端末装置。
【請求項３】
請求項１記載の無線通信端末装置において、
無線通信端末の位置と、位置属性を対応付けてリスト化した位置属性データベース手段を更に具備することを特徴とする無線通信端末装置。
【請求項４】
請求項１又は請求項２記載の無線通信端末装置において、
無線通信端末の現在位置に置ける位置属性と、無線通信端末のモード属性とを対応付けてリスト化したモード属性データベースを更に具備することを特徴とする無線通信端末装置。
【請求項５】
請求項２記載の無線通信端末装置において、
前記位置検出手段は、無線通信端末の位置情報と、位置情報ごとに位置識別子を対応付ける位置識別子リストを具備することを特徴とする無線通信端末装置。
【請求項６】
請求項３記載の無線通信端末装置において、
前記位置属性データベースは、位置検出手段より得られる位置識別子と、位置識別子ごとに対応付けられる属性を示す位置属性リストを具備することを特徴とする無線通信端末装置。
【請求項７】
請求項４記載の無線通信端末装置において、
前記モード属性データベースは、位置属性データベースから得られる属性と、属性ごとに対応付けられるモードを示すモード属性データリストを具備することを特徴とする無線通信端末装置。
【請求項８】
請求項１記載の無線通信端末装置において、
前記モード切替手段は、無線通信端末のスピーカ音量を調節する音量調整部を具備することを特徴とする無線通信端末装置。
【請求項９】
請求項１記載の無線通信端末装置において、
前記モード切替手段は、無線通信端末に入力される音声情報を文字に変換する音声文字変換部を具備することを特徴とする無線通信端末装置。
【請求項１０】
請求項１記載の無線通信端末装置において、
前記モード切替手段は、無線通信端末に入力される文字情報を音声に変換する文字音声変換部を具備することを特徴とする無線通信端末装置。
【請求項１１】
請求項１記載の無線通信端末装置において、
前記モード切替手段は、無線通信端末のマイク受信感度を調整する感度調整部を具備することを特徴とする無線通信端末装置。
【発明の詳細な説明】
【技術分野】
【０００１】
本発明は、携帯電話等の無線通信技術に関し、特に利用位置の周辺環境に応じてマナーモードや通話モード等のうち最適なものを自動選択できる無線通信端末装置に関する。
【背景技術】
【０００２】
従来のテレビ電話などの無線通信端末装置では、発話を伴う通信が嫌われる公共の場所などで利用する場合には、マナーモードの設定やメールなどのメッセージ通信の利用など、利用者の会話に関する利便性が制約されるところがあった。
【０００３】
このような状況を解決するため、電話音声を文字情報として表示する電話装置として、以下のような従来例がある。すなわち特許文献１（特開２００１−２５１６７２号公報）によれば、音声情報を文字情報に変換して表示する技術が記載されている。この特許では、当該通信相手からの音声情報を文字情報に変換して表示する技術および、当該通信相手に対して送信する文字情報を音声情報に変換する技術について述べられている。この技術では、メッセージ選択モードの端末に着信した当該通信相手は、伝達したいメッセージを定型文などから選択し、この選択されたメッセージを文字情報として着信端末に表示させることで、発話者のメッセージを確認している。また、このメッセージ選択には音声情報を用いることができ、発話者の音声をメッセージとして受け取ることができる。同様に、端末から入力した文字情報は音声に変換されて、当該通信相手に伝達される。これらの技術により、周辺状況にかかわらず会話をすることを実現している。
【０００４】
また、特許文献２（特開２００３−２０９８８４号公報）、特許文献３（特開２００３−２０４５７７号公報）、特許文献４（特開２００２−３３０４７０号公報）によれば、通信端末利用者の現在位置などによって、通信端末の待ち受け動作モードを変更する技術について述べられている。この技術では、利用者の位置情報を検出し、その位置において適切な動作モード（主にマナーモードなど）に切り替えることを実現している。
【特許文献１】特開２００１−２５１６７２号公報
【特許文献２】特開２００３−２０９８８４号公報
【特許文献３】特開２００３−２０４５７７号公報
【特許文献４】特開２００２−３３０４７０号公報
【発明の開示】
【発明が解決しようとする課題】
【０００５】
しかしながら、上述の特許文献１の装置では通信中の周辺環境の変化について考慮されていないため、移動中の会話などにおいては利便性を欠くものである。たとえば、無線通信端末の利用者が、公共の場などマナーに配慮すべき環境から、室内など周辺状況を気にする必要の無い場所に移動する場合を考える。この場合、公共の場においてメッセージ選択モードでメッセージ伝達していた利用者は、室内に到着後には、メッセージ選択モードを解除する旨を当該通信相手に通知した後に、通信端末のメッセージ選択モードを解除して通常通話に切り替えるなど、煩雑な手間が必要である。同様に、テレビ電話通信中に、室内から屋外に移動した場合について考える。この場合、室内では周辺環境を気にすることなく発話を伴う会話をすることが可能であるが、会話中に公共の場などのマナーに配慮すべき環境に移動した場合には、いったん会話を終了し、通信端末をメッセージ選択モードに変更した後に、改めて通信を再開させる必要がある。
【０００６】
また、上述の特許文献２、３、４に記載の技術では、通信端末の待ち受けモードの切り替えに関しては論じられているが、通話中のモードを周辺状況に応じて最適化することに関しては考慮されていない。このため、通信中の会話などにおいては周辺環境が変化した場合には、通話を終話するなどし、適宜利用者が判断してメールやメッセージを利用した会話に手動で切り替える必要があるなど、通信中の端末に関してはその不便さは解消されていない。
【０００７】
本発明は、このような状況に鑑みてなされたもので、周辺環境が変化した場合でも、位置情報よりその環境に最適な通信モードに自動的に切り替えることができる無線通信端末装置を提供するものである。
【課題を解決するための手段】
【０００８】
第１の発明は、無線通信端末が利用される位置を、位置ごとの特徴を示す位置属性と呼ぶ識別子に対応付けることが可能な位置属性解析手段と、位置属性ごとに適した無線通信端末の動作モードを対応付けることが可能なモード解析手段と、モード解析手段により得られた前記対応付け情報に従って、無線通信端末の動作モードを切り替えるモード切替手段と、を具備することを特徴とする無線通信端末装置である。
【０００９】
第２の発明は、第１の発明に記載の無線通信端末装置において、無線通信端末の現在位置を取得することができる位置検出手段を更に具備することを特徴とする。
【００１０】
第３の発明は、第１の発明に記載の無線通信端末装置において、無線通信端末の位置と、位置属性を対応付けてリスト化した位置属性データベース手段を更に具備することを特徴とする。
【００１１】
第４の発明は、第１又は第２の発明に記載の無線通信端末装置において、無線通信端末の現在位置に置ける位置属性と、無線通信端末のモード属性とを対応付けてリスト化したモード属性データベースを更に具備することを特徴とする。
【００１２】
第５の発明は、第２の発明に記載の無線通信端末装置において、前記位置検出手段は、無線通信端末の位置情報と、位置情報ごとに位置識別子を対応付ける位置識別子リストを具備することを特徴とする。
【００１３】
第６の発明は、第３の発明に記載の無線通信端末装置において、前記位置属性データベースは、位置検出手段より得られる位置識別子と、位置識別子ごとに対応付けられる属性を示す位置属性リストを具備することを特徴とする。
【００１４】
第７の発明は、第４の発明に記載の無線通信端末装置において、前記モード属性データベースは、位置属性データベースから得られる属性と、属性ごとに対応付けられるモードを示すモード属性データリストを具備することを特徴とする。
【００１５】
第８の発明は、第１の発明に記載の無線通信端末装置において、前記モード切替手段は、無線通信端末のスピーカ音量を調節する音量調整部を具備することを特徴とする。
【００１６】
第９の発明は、第１の発明に記載の無線通信端末装置において、前記モード切替手段は、無線通信端末に入力される音声情報を文字に変換する音声文字変換部を具備することを特徴とする。
【００１７】
第１０の発明は、第１の発明に記載の無線通信端末装置において、前記モード切替手段は、無線通信端末に入力される文字情報を音声に変換する文字音声変換部を具備することを特徴とする。
【００１８】
第１１の発明は、第１の発明に記載の無線通信端末装置において、前記モード切替手段は、無線通信端末のマイク受信感度を調整する感度調整部を具備することを特徴とする。
【発明の効果】
【００１９】
上記にて説明された本発明により以下の効果がもたらされる。
【００２０】
第１の発明に係る無線通信端末装置は、位置属性ごとに適した無線通信端末の動作モードを対応付け、この対応付け情報に従って、無線通信端末の動作モードを切り替えるので、無線通信端末の通信・通話手段を現在位置に適したものに自動的に切り替えることが可能となる。
【００２１】
第２の発明に係る無線通信端末装置は、無線通信端末の現在位置を取得することができる位置検出手段を更に具備したので、無線通信端末装置の現在位置に適した位置識別子を得ることが可能となる。
【００２２】
第３の発明に係る無線通信端末装置は、無線通信端末の位置と、位置属性を対応付けてリスト化した位置属性データベース手段を更に具備したので、無線通信端末装置の現在位置に適した位置属性を得ることが可能となる。
【００２３】
第４の発明に係る無線通信端末装置は、無線通信端末の現在位置に置ける位置属性と、無線通信端末のモード属性とを対応付けてリスト化したモード属性データベースを更に具備したので、無線通信端末装置の現在位置に適したモード属性を得ることが可能となる。
【００２４】
第５の発明に係る無線通信端末装置は、位置検出手段は、無線通信端末の位置情報と、位置情報ごとに位置識別子を対応付ける位置識別子リストを具備したので、利用者に適した位置識別子を構築することが可能となる。
【００２５】
第６の発明に係る無線通信端末装置は、位置属性データベースは、位置検出手段より得られる位置識別子と、位置識別子ごとに対応付けられる属性を示す位置属性リストを具備したので、利用者に適した位置属性を構築することが可能となる。
【００２６】
第７の発明に係る無線通信端末装置は、モード属性データベースは、位置属性データベースから得られる属性と、属性ごとに対応付けられるモードを示すモード属性データリストを具備したので、利用者に適したモード属性を構築することが可能となる。
【００２７】
第８の発明に係る無線通信端末装置は、モード切替手段は、無線通信端末のスピーカ音量を調節する音量調整部を具備したので、無線通信端末装置の現在位置に応じてスピーカ音量を調整することが可能となる。
【００２８】
第９の発明に係る無線通信端末装置は、モード切替手段は、無線通信端末に入力される音声情報を文字に変換する音声文字変換部を具備するので、無線通信端末装置の現在位置に応じて当該通信相手の音声を字幕表示することが可能となる。
【００２９】
第１０の発明に係る無線通信端末装置は、モード切替手段は、無線通信端末に入力される文字情報を音声に変換する文字音声変換部を具備するので、無線通信端末装置の現在位置に応じて利用者が入力する文字列を音声として当該通信相手に送信することが可能となる。
【００３０】
第１１の発明に係る無線通信端末装置は、モード切替手段は、無線通信端末のマイク受信感度を調整する感度調整部を具備するので、無線通信端末装置の現在位置に応じて利用者の音声を入力するマイクの感度を調整することが可能となる。
【発明を実施するための最良の形態】
【００３１】
以下、本発明の実施の形態を添付図面を参照して説明する。
【００３２】
本発明による無線通信端末装置の実施形態の一例を図１乃至図６に基づいて以下に説明する。
【００３３】
図１は、本発明による無線通信端末装置を用いた通信システムの実施形態を示すブロック図である。この通信システムは、無線通信端末１００、位置情報送信手段１０７、基地局１０８から構成されている。無線通信端末１００は、位置検出手段１０１、位置属性データベース１０２、位置属性解析手段１０３、モード属性データベース１０４、モード解析手段１０５、モード切替手段１０６、電話通信手段１０９、スピーカ１１０、表示部１１１、文字入力部１１２、マイク１１３から構成されている。
【００３４】
ここで、無線通信端末１００は本発明で提案する無線通信端末である。位置情報送信手段１０７は、無線通信端末１００の現在位置を通知する手段である。基地局１０８は、無線通信端末１００において電話通信を行う際に接続する、電話ネットワークへのゲートウェイである。
【００３５】
位置検出手段１０１は、位置情報送信手段１０７からの情報に基づいて無線通信端末１００の現在位置を取得する手段である。位置属性データベース１０２は、位置検出手段１０１から得られる位置情報に対応した位置属性を保管するデータベースである。位置解析手段１０３は、位置検出手段１０１から得られる位置情報をもって、位置属性データベース１０２を参照し、無線通信端末１００の現在位置に対応する位置属性を解析する手段である。
【００３６】
モード属性データベース１０４は、位置属性に対応する無線通信端末１００のモードを保管するデータベースである。モード解析手段１０５は、位置属性解析手段１０３より取得する位置属性を持って、モード属性データベース１０４を参照し、無線通信端末１００の現在位置に対応するモード属性を解析する手段である。モード切替手段１０６は、モード解析手段より得られる無線通信端末１００の現在位置に対応したモード属性に対応して、無線通信端末１００の動作モードを切り替える手段である。
【００３７】
電話通信部１０９は、基地局１０８と通信を行い、実際の電話通信に関する通話処理を行う手段である。スピーカ１１０は、電話通信における当該通信相手の音声を出力する部分であり、この動作特性はモード切替手段１０６により切り替えられる。表示部１１１は、無線通信端末１００の各種情報を表示する表示手段であり、この動作特性はモード切替手段１０６により切り替えられる。文字入力部１１２は、電話番号入力などに利用するキーパッドなどの入力手段であり、この動作特性はモード切替手段１０６により切り替えられる。マイク１１３は、電話通信における当該通信相手への音声を入力する部分であり、この動作特性はモード切替手段１０６により切り替えられる。
【００３８】
以下で図２のフロー図を用いて具体的な実施例を示す。マナーを特別考慮する必要の無い、自宅の室内で無線通信端末１００を利用しながら、マナーを考慮すべき図書館に移動した場合を考える。このとき、無線通信端末１００はテレビ電話機能搭載の携帯電話装置のように、使用場所を移動することが可能な通信端末であり、携帯電話／ＰＨＳ、ＰＤＡなどの携帯電話装置や、無線ＬＡＮ機能などを有するノート型パソコンなども含まれる。位置情報送信手段１０７は、たとえば基地局サーバであり、電波やネットワークを通して無線通信端末１００の位置情報を位置検出手段１０１に送信するものであり、基地局１０８と同一物の場合も考えられる。
【００３９】
また、ＧＰＳなどを利用する場合には、位置送信手段１０７は衛星であり、位置検出手段１０１は位置情報を受信・解析する受信機となる。同様に、位置情報送信手段１０７が、各部屋や施設に設置されるＲＦＩＤなどの識別子の場合には、位置検出手段１０１はこれを受信する受信機となる。この具体例の場合では、位置検出手段１０１では、無線通信端末１００を利用している自宅の室内位置や図書館の位置を、位置情報送信手段１０７から取得する（この例では、“緯度：ｄｅｆ、経度：ＤＥＦ”とする）。そして位置情報を取得した位置検出手段１０１は、得られた位置情報を位置属性データベースを参照するための位置識別子に変換し（この例では“図書館”に変換されるものとする）、位置属性解析手段１０３に送信する（ステップＳ１）（図３で詳述）。
【００４０】
位置属性解析手段１０３では、得られた位置識別子を基に位置属性データベース１０２を参照し、この位置での位置属性情報（この例では“属性３”とする）を得る（ステップＳ２）（図４で詳述）。位置属性情報が得られた位置解析手段１０３は、これをモード解析手段１０５に送信する。モード解析手段１０５では、得られた位置属性情報を基に、モード属性データベース１０４にアクセスし、この属性情報に対応するモード情報（この例では“スピーカ：停止、表示部：字幕表示、入力部：文字音声変換、マイク：停止”とする）を取得する（ステップＳ３）（図５で詳述）。
【００４１】
モード情報を取得したモード解析手段１０５では、これをモード切替手段１０６に送信する。モード情報を取得したモード切替手段１０６では、モード情報に基づいて、現在のモードから変更する必要があるかを判断する（ステップＳ４）。モード変更が必要であれば、モード切り替えを行う（ステップＳ５）。例えば、無線通信端末１００のスピーカ１１０、表示部１１１、文字入力部１１２、マイク１１３の動作状態をモード情報に従った動作モードに切り替える（図６で詳述）。この例では、スピーカ及びマイクの動作は停止される。また、当該通信相手の音声は文字変換されて、表示部に字幕となって表示される。また、無線通信端末１００の利用者は入力文字列を音声に変換して当該通信相手に伝えることで、音声を発することなく当該通信相手との会話を継続できる。
【００４２】
以上の動作により、会話中に図書館などに移動した場合でも、無線通信端末１００は自動的に周囲の環境に合わせた動作モードに変更することができ快適な通信を継続することができる。また、この図書館からさらに別の場所に移動した場合でも、その場所での適切なモードに切り替えることにより、円滑な通信が実現される。上記までの動作について、さらに具体的に説明する。
【００４３】
図３は、位置検出手段１０１の実施形態の一例であり、位置情報受信部３１、位置識別子変換部３２、位置識別子リスト３３から構成される。位置情報受信部３１は、位置情報送信手段１０７より無線通信端末１００の位置情報を受け取る。位置識別子変換部３２は、位置情報受信部３１より受け取った位置情報を基に、位置識別子リスト３３を参照し無線通信端末１００の現在位置における位置識別子を位置属性解析手段１０３に送信する。位置識別子リスト３３は、各位置情報における位置識別子をデータベース化したリストである。図３に示すように、この位置識別子リストは、緯度、経度の位置情報と、自宅、駅、図書館等の具体的な場所を示す位置識別子とが対応付けされている。
【００４４】
このリスト例では、この位置情報は経度・緯度として入力されることを想定しているが、これに限るものではない。受信された位置情報は、位置識別子変換部３２に送信される。位置識別子変換部３２では、受信した位置情報を基に位置識別子リスト３３を参照し、対応する位置識別子を取得する。この位置識別子リスト３３は、必ずしも無線通信端末１００の内部にある必要は無く、ネットワークなどで接続できる遠隔地にあってもよい。また、利用者によるリストの追加・削除などのカスタマイズができてもよい。
【００４５】
さらに、この識別子リスト３３は、必ずしも必要なものではなく、位置情報受信部２１にて受信される位置情報が、図３にて詳述する位置属性データベース１０２をアクセスすることができる情報形式の場合、位置識別子変換部３２および位置識別子リスト３３は省略することができる。上記図１の例では、取得した緯度・経度から位置識別子として“図書館”を得られたものとする。
【００４６】
図４は、位置属性データベース１０２の実施形態の一例であり、位置属性変換部４１、位置属性リスト４２から構成される。位置属性変換部４１は、位置属性解析手段１０３から受け取った位置識別子を基に、位置属性リスト４２を参照し、無線通信端末１００の現在位置における位置属性を返答する。位置属性リスト４２は、無線通信端末１００の位置識別子と位置属性をデータベース化したリストである。位置属性解析手段１０３は、位置属性解析手段１３から、位置識別子を用いたデータベース問い合わせが発生した場合、この位置識別子は位置属性変換部４１で受け取られる。位置属性変換部４１では、位置識別子を用いて位置属性リスト４２を参照し、この識別子に対応した位置属性を取得する。もちろんこの位置属性リスト４２は、利用者によるリストの追加・削除などのカスタマイズができる構成でもよい。
【００４７】
さらに、この位置属性リスト４２は、必ずしも必要なものではなく、位置属性変換部４１にて受信される位置識別子が、図５にて詳述するモード属性データベース１０４をアクセスすることができる情報形式の場合、位置属性変換部４１および位置属性リスト４２は省略することができる。上記図１の例では、位置識別子として受け取った“図書館”から“属性３”を得られたとする。
【００４８】
図５は、モード属性データベース１０４の実施形態の一例であり、モード属性変換部５１、モード属性リスト５２から構成される。モード属性変換部５１は、モード解析手段１０５より受け取った位置属性を基に、モード属性リスト５２を参照し、無線通信端末１００の現在位置におけるモード属性を返答する。モード属性リスト５２は、無線通信端末１００の位置属性とモード属性をデータベース化したリストである。
【００４９】
モード解析手段１０５から、属性を用いたデータベース問い合わせが発生した場合、この属性はモード属性変換部５１で受け取られる。モード属性変換部５１では、属性を用いてモード属性リスト５２を参照し、この属性に対応したモードを取得する。もちろんこのモード属性リスト５２は、利用者によるリストの追加・削除などのカスタマイズができる構成でもよい。この例では、属性として受け取った“属性３”から“スピーカ：停止、表示部：字幕表示、入力部：文字音声変換、マイク：停止”というモードを得られたとする。
【００５０】
図６は、モード切替手段１０６の実施形態の一例であり、モード処理部６１、音量調整部６２、音声文字変換部６３、文字音声変換部６４、感度調整部６５から構成される。モード処理部６１は、モード解析手段１０５よりモード属性を取得し、接続する音量調整部６２、音声文字変換部６３、文字音声変換部６４、感度調整部６５の動作を制御する。
【００５１】
またモード処理部６１は、電話通信部１０９とも接続されており、無線通信端末１００に入力される、当該通信相手の音声情報をスピーカ・表示部などの適切な出力装置へ送信する機能、および無線通信端末１００の利用者から入力される、マイク・入力部の情報を、電話通信手段に送信する機能を有する。音量調整部６２は、モード処理部６１から制御を受けて、電話通信部１０９から取得した音声を適切な音量で接続されるスピーカに出力する。音声文字変換部６３は、モード処理部６１から制御を受けて、電話通信部１０９から取得した音声を文字に変換して表示部に出力する。文字音声変換部６４は、モード処理部６１から制御を受けて、入力部より入力された文字を音声に変換する。感度調整部６５は、モード処理部６１から制御を受けて、マイクより入力される音声の感度を調整する。モード解析手段１０５から、モード情報を取得したモード切替手段は、取得した情報に基づいて無線通信端末１００の動作モードを切り替える。
【００５２】
この例では、モード処理部５１では属性“スピーカ：停止、表示部：字幕表示、入力部：文字音声変換、マイク：停止”を取得する。このとき、モード処理部６１が行う処理は以下の４項目となる。
【００５３】
１）音量調整部６２を制御してスピーカを停止、２）音声文字変換部６３を活性化し、電話通信部１０９に入力される当該通信相手の音声を文字列に変換し表示部に表示、３）文字音声変換部６４を活性化し、入力部から入力される文字列を合成音声として電話通信部１０９に渡し、当該通信相手に送信、４）感度調整部６５を制御してマイク入力を停止。
【００５４】
上記処理により、無線通信端末１００の利用者は当該通信相手の音声を表示部に字幕表示することで確認することができ、さらに入力した文字列を当該通信相手に音声として伝えることができる。このため、マナーを考慮する必要のある図書館のような場所に移動した場合には、通話を切断することなしに、当該通信相手との会話を続けることができる。同様にこのような図書館からマナーを考慮する必要の無い環境に移動した場合には、自動的に通常の通話に切り替えることにより、快適な通話環境を得ることができる。
【００５５】
なお、この例では、音声出力を停止し、当該通信相手の音声を確認する代替装置として字幕表示を用いているが、図５で示されるモード属性データベース１０４から“属性２  スピーカ：音量ＵＰ、表示部：字幕表示、入力部：文字音声変換、マイク：感度ＵＰ”のようなリストを取り出すことにより、スピーカの音量ＵＰとともに字幕表示を利用した音声確認を併用することが可能となり、騒音の多い屋外などでの音声認識効率の向上を図ることができる。
【００５６】
同様にこの例では、マイクでの音声入力による当該通信相手への音声伝達を停止し、入力部からの文字入力を音声に変換することで当該通信相手への音声伝達を行っているが、図５で示されるモード属性データベース１０４から“属性２  スピーカ：音量ＵＰ、表示部：字幕表示、入力部：文字音声変換、マイク：感度ＵＰ”のようなリストを取り出すことにより、マイク感度ＵＰとともに入力部から文字を入力し音声に変換する処理を併用することが可能となり、騒音の多い屋外などでの音声伝達効率を向上させることができる。もちろん、無線通信端末１００を利用する周辺環境に合わせて、この例で挙げた以外のモード属性の組み合わせも可能である。
【図面の簡単な説明】
【００５７】
【図１】本発明による無線通信装置を用いた通信システムの一実施形態を示す機能ブロック図である。
【図２】無線通信装置の動作処理手順を示すフローチャートである。
【図３】本発明による位置検出手段の一実施形態を示す機能ブロック図である。
【図４】本発明による位置属性データベースの一実施形態を示す機能ブロック図である。
【図５】本発明によるモード属性データベースの一実施形態を示す機能ブロック図である。
【図６】本発明によるモード切替手段の一実施形態を示す機能ブロック図である。
【符号の説明】
【００５８】
２１  位置属性受信部
２２  位置識別子変換部
２３  位置識別子リスト
３１  位置属性変換部
３２  位置属性リスト
４１  モード属性変換部
４２  モード属性リスト
５１  モード処理部
５２  音量調整部
５３  音声文字変換部
５４  文字音声変換部
５５  感度調整部
１００  無線通信端末
１０１  位置検出手段
１０２  位置属性データベース
１０３  位置属性解析手段
１０４  モード属性データベース
１０５  モード解析手段
１０６  モード切替手段
１０７  位置情報送信手段
１０８  基地局
１０９  電話通信手段
１１０  スピーカ
１１１  表示部
１１２  文字入力部
１１３  マイク
【図１】
2006333303.tif 000003
【図２】
2006333303.tif 000004
【図３】
2006333303.tif 000005
【図４】
2006333303.tif 000006
【図５】
2006333303.tif 000007
【図６】
2006333303.tif 000008